(57)【要約】【課題】明滅パターンや信号機の追加削除を容易に行える模型用信号機制御システムを提供する。【解決手段】入出力装置１０と、メモリ２２及び演算処理を行う制御部２１及びクロック２３を備える制御装置２０と、複数の信号機３０と、を備える。制御部２１が、入出力装置１０から入力指示を受信したとき、入出力装置１０から信号制御パターンの入力を受け入れてメモリ２２に格納し、駆動指示を受信したとき、メモリ２２から信号制御パターンを読みだし、信号制御パターンにしたがって複数の信号機３０の点灯と消灯とを制御する。【選択図】図１
0003140758.tif 000002
【実用新案登録請求の範囲】
【請求項１】
入出力装置と、メモリ及び演算処理を行う制御部を備える制御装置と、複数の信号機と、を備える模型用信号機制御システムであって、
前記制御部が、
入力指示を受信したとき、前記入出力装置から信号制御パターンの入力を受け入れてメモリに格納し、
駆動指示を受信したとき、前記メモリから前記信号制御パターンを読みだし、
前記信号制御パターンにしたがって前記複数の信号機の点灯と消灯とを制御する、
ことを特徴とする模型用信号制御システム。
【考案の詳細な説明】
【技術分野】
【０００１】
本考案は、道路の模型などに使用する信号機の明滅を制御する模型用信号制御システムに関する。
【背景技術】
【０００２】
従来の模型用信号機はあらかじめ設定された信号機の種類、信号機の数、明滅パターンに従って明滅するだけであり、新たに信号機を追加することや明滅パターンを変更することが容易にできないという問題点があった。
【０００３】
この点に関し、例えば特許文献１に記載されているように、実物の信号機においても容易に明滅パターンの変更や信号機の追加ができるシステムになっていない場合がある。
【特許文献１】特開平７−２３０５９５号公報
【考案の開示】
【考案が解決しようとする課題】
【０００４】
本考案は上記のような問題点に鑑みてなされたものであり、明滅パターンや信号機の追加削除を容易に行える模型用信号機制御システムを提供することを目的とする。
【課題を解決するための手段】
【０００５】
この目的を達成するために、入出力装置と、メモリ及び演算処理を行う制御部を備える制御装置と、複数の信号機と、を備える模型用信号機制御システムであって、制御部が、  入力指示を受信したとき、入出力装置から信号制御パターンの入力を受け入れてメモリに格納し、駆動指示を受信したとき、メモリから信号制御パターンを読みだし、信号制御パターンにしたがって複数の信号機の点灯と消灯とを制御する、ことを特徴とする模型用信号制御システムを提供する。
【考案の効果】
【０００６】
本考案のボール盤は、信号機の明滅パターンの制御と、信号機の追加、削除が容易となるという効果がある。という効果がある。
【考案を実施するための最良の形態】
【０００７】
本発明のボール盤の一実施形態を、図面を用いて説明する。図１は本実施形態の模型用信号機制御システムの概要を示すブロック図である。
【０００８】
図１に示すように、本実施形態の模型用信号機制御システム１は、入出力装置１０と、メモリ２２及び演算処理を行う制御部２１及びクロック２３を備える制御装置２０と、複数の信号機３０と、を備える。
【０００９】
入出力装置１０は、例えばパソコンを使用する。パソコンを使用した場合、入出力装置１０と制御装置２０との接続はたとえばＲＳ２３２Ｃなどのシリアル通信インターフェースを用いて行う。通信方式はこれに限られるものではない。
【００１０】
メモリ２２はＲＡＭまたはフラッシュメモリを使用する。制御部２１はマイコンまたはＣＰＵを使用する。クロック２３は水晶発振器を備えるものを用いてもよいが、より安価なものを用いることもできる。
【００１１】
図２は信号機３０のうち、歩行者用信号機の例を示した図である。図２（ａ）は正面図、図２（ｂ）は背面図である。図３は信号機３０のうち、車両用信号機の例を示した図である。図３（ａ）は正面図、図３（ｂ）は背面図である。
【００１２】
図２及び図３に示すように、信号機３０はＬＥＤなどの発光素子３１を備える。なお、信号機の構成は、矢印灯器を任意に追加、削除可能である。
【００１３】
図４はメモリ２２に格納される信号制御パターンの例を示した図である。図４に示すように、メモリ２２は信号機３０ごとの点灯する発光素子３１と点灯継続時間を格納する。
【００１４】
図５は入出力装置１０の信号制御パターンの入力画面を示した図である。図５に示すように、入出力装置１０は道路信号機制御パターン設定プログラムを用いて信号制御パターンの入力と、制御部２１への信号制御パターンのメモリ２２への格納を指示する入力指示の送信を行う。
【００１５】
図５に示すように、入出力装置１０は信号機３０の明滅のシミュレーションを行うこともできる。
【００１６】
本実施形態の模型用信号制御システムは、制御部２１が、入出力装置１０から入力指示を受信したとき、入出力装置１０から信号制御パターンの入力を受け入れてメモリ２２に格納し、駆動指示を受信したとき、メモリ２２から信号制御パターンを読みだし、信号制御パターンにしたがって複数の信号機３０の点灯と消灯とを制御する。
【００１７】
図５に示す「設定」ボタンがクリックされると、入出力装置１０は制御部２１に信号制御パターンと。入力指示を送信する。
【００１８】
入出力装置１０から入力指示を受信したとき、入出力装置１０から信号制御パターンの入力を受け入れてメモリ２２に格納する。
【００１９】
制御部２１は、入出力装置１０または制御部２１に接続されたスイッチから駆動指示を受信する。このとき、制御部２１はメモリ２２から格納されている信号制御パターンを順に読みだし、この信号制御パターンにしたがって複数の信号機３０の点灯と消灯とを制御する。
【００２０】
図４に示した例をもとに説明する。制御部２１はメモリ２２から「青、赤、・・・、赤、３０」を読みだす。次いで制御部２１は、信号機１の青を点灯し他の発光素子３１は消灯し、信号機２の赤を点灯し他の発光素子３１は消灯し、さらに信号機ｎの赤を点灯し他の発光素子３１は消灯し、この状態を３０秒継続する。
【００２１】
３０秒経過後、制御部２１はメモリ２２から「黄、赤、・・・、赤、５」を読みだす。次いで制御部２１は、信号機１の黄を点灯し他の発光素子３１は消灯し、信号機２の赤を点灯し他の発光素子３１は消灯し、さらに信号機ｎの赤を点灯し他の発光素子３１は消灯し、この状態を５秒継続する。
【００２２】
５秒経過後、制御部２１はメモリ２２から「赤、赤、・・・、赤、５」を読みだす。次いで制御部２１は、信号機１の赤を点灯し他の発光素子３１は消灯し、信号機２の赤を点灯し他の発光素子３１は消灯し、さらに信号機ｎの赤を点灯し他の発光素子３１は消灯し、この状態を５秒継続する。
【００２３】
以降、順に信号制御パターンの読み込みと信号機３０の制御を繰り返す。
【００２４】
信号機３０の追加と削除は、道路信号機制御パターン設定プログラムを用いて行うことができる。削除する場合は、信号機３０を制御装置２０から物理的に取り除く。追加する場合は、次のように行う。例えば、信号機３を追加する場合には、信号機３０を制御装置２０の信号機３のコネクタに接続する。次に、入出力装置１０から信号機３の点灯信号を入力する。
【００２５】
以上述べたように、本実施形態の模型用信号機制御システム１は、入出力装置１０から信号制御パターンを入力して制御部２１がこの信号制御パターンに従って信号機３０の明滅を制御する。このため、信号機３０の明滅パターンの制御と、信号機３０の追加、削除が容易となるという効果がある。
【産業上の利用可能性】
【００２６】
本考案は、模型のみならず、一般的な信号制御システムとして利用できる。
【図面の簡単な説明】
【００２７】
【図１】本実施形態の模型用信号機制御システムの概要を示すブロック図である。
【図２】信号機３０のうち、歩行者用信号機の例を示した図である。
【図３】信号機３０のうち、車両用信号機の例を示した図である。
【図４】メモリ２２に格納される信号制御パターンの例を示した図である。
【図５】入出力装置１０の信号制御パターンの入力画面を示した図である。
【符号の説明】
【００２８】
１：模型用信号機制御システム
１０：入出力装置、
２１：制御部、
２２：メモリ、
２３：クロック、
３０：信号機、
３１：発光素子
【図１】
0003140758.tif 000003
【図２】
0003140758.tif 000004
【図３】
0003140758.tif 000005
【図４】
0003140758.tif 000006
【図５】
0003140758.tif 000007